(57)【要約】【課題】回転部材を回転させながらも、特定入賞口と一般入賞口に入賞した各遊技球を、シンプルな機構により効率良く選別し得ると共に、入賞してからセンシングするまでの時間を従来に比して短縮し得るように構成した弾球遊技機を提供する。【解決手段】振分け装置３６では、上部装飾部材４１、入賞振分け受け部材４５及びベース部材５２からなる基台部の内壁及び入賞振分け部材４３により、特定入賞口４２ａに入賞した遊技球を受け入れる収容部Ｓｐ１と一般入賞口４２ｂ，４２ｃに入賞した遊技球を受け入れる収容部Ｓｐ２とを形成し、該収容部Ｓｐ１，Ｓｐ２内の各遊技球を、位置の違いにより選別して入賞口センサ４９，４８の対応する側に個別に導く選別手段を設けている。このため、特定入賞口に入賞した遊技球と一般入賞口に入賞した遊技球とを、シンプルな機構にて効率良く選別することができる。【選択図】図７
2010094140.tif 000002
【特許請求の範囲】
【請求項１】
遊技盤の遊技領域に、特定入賞口と一般入賞口への入賞球をそれぞれ振り分ける振分け装置を備えてなる弾球遊技機において、
前記振分け装置は、
前記特定入賞口及び前記一般入賞口への入賞球をそれぞれ検知する第１及び第２検知手段が固定された形で前記遊技盤側に固定された基台部と、
前記特定入賞口及び前記一般入賞口を有した形で前記基台部に対して回転自在に支持された回転部材と、
前記基台部の内方にて前記回転部材と一体的に回転する入賞振分け部材と、を有し、かつ、
前記基台部の内壁及び前記入賞振分け部材により、前記特定入賞口に入賞した遊技球を受け入れる第１収容部と前記一般入賞口に入賞した遊技球を受け入れる第２収容部とを形成すると共に、これら第１及び第２収容部内の各遊技球を、位置の違いにより選別して前記第１及び第２検知手段の対応する側に個別に導く選別手段を設けてなる、
ことを特徴とする弾球遊技機。
【請求項２】
前記選別手段は、前記基台部の前記内壁に高さ方向位置を異ならせて形成された第１及び第２導入部と、これら第１及び第２導入部にそれぞれ対応するように前記入賞振分け部材に段差状に形成された低位置面及び高位置面と、を有してなる、
請求項１記載の弾球遊技機。
【請求項３】
前記選別手段は、前記入賞振分け部材に径方向位置を異ならせて形成された第１及び第２選別口と、これら第１及び第２選別口に遊技球をそれぞれ導くように前記入賞振分け部材に形成された傾斜面と、を有してなる、
請求項１記載の弾球遊技機。
【発明の詳細な説明】
【技術分野】
【０００１】
本発明は、パチンコ機等の弾球遊技機に関し、詳しくは、特定入賞口と一般入賞口への入賞球をそれぞれ振り分ける振分け装置を遊技領域に備えた弾球遊技機に関する。
【背景技術】
【０００２】
この種の弾球遊技機、例えば所謂第２種パチンコ機において、以下のようなものが知られている（特許文献１参照）。該パチンコ機は、遊技盤の遊技領域の略中央部に電動式普通役物装置を備え、該役物装置の入賞室の下方に第１の回転体（所謂クルーン）を有し、該第１の回転体に３つの落下口（特定落下口及び他の落下口）を有している。
【０００３】
上記パチンコ遊技機にあっては、３つの落下口に落下した遊技球を振り分けるための振分手段が、上下に配置された第１の回転体と第２の回転体とによって構成され、所謂Ｖゾーンである特定落下口が、連通部材によって第２の回転体に連通され、該特定落下口に落下した遊技球が、連通部材を通過して、第２の回転体の下方の第２の球回収部材に振り分けられる。所謂外れゾーンである落下口に落下した遊技球は、第２の回転体の上方に振り分けられる。
【０００４】
【特許文献１】特開２００３−２６５７２８号公報
【発明の開示】
【発明が解決しようとする課題】
【０００５】
上記特許文献１記載のパチンコ機では、上側の第１の回転体における特定落下口に落下（入球）した遊技球を連通部材を通して第２の回転体の下方の第２の球回収部材に導いた後、該第２の球回収部材の傾斜に沿って球検出センサのある第２の球回収路まで移動させ、また、第１の回転体における落下口に落下（入球）した遊技球を下方の第２の回転体に落下させて第１の球回収部材に導いた後、該第１の球回収部材の傾斜に沿って球検出センサのある第１の球回収路まで移動させるように構成されている。
【０００６】
このため、上記特許文献１の技術にあっては、遊技球が落下すると「大当たり」等の特典が付与される特定落下口を備え、遊技球が該特定落下口に落下するまでの動きを多彩にすることは可能であるものの、特定落下口に入球した遊技球と落下口に入球した遊技球とを選別する機構が複雑でコンパクト化が難しく、また、各落下口からそれぞれ落下した遊技球を各球検出センサで検知するまでの距離が長く、入球してからセンシングするまでに多くの時間を要していた。
【０００７】
そこで本発明は、所謂クルーンとしての回転部材を回転させながらも、特定入賞口に入賞した遊技球と一般入賞口に入賞した遊技球とを、シンプルな機構により効率良く選別し得ると共に、入賞してからセンシングするまでの時間を従来に比して短縮し得るように構成し、もって上述した課題を解決した弾球遊技機を提供することを目的とするものである。
【課題を解決するための手段】
【０００８】
請求項１に係る本発明は（例えば図１ないし図１５参照）、遊技盤（１１）の遊技領域（１１ａ）に、特定入賞口（４２ａ）と一般入賞口（４２ｂ，４２ｃ）への入賞球をそれぞれ振り分ける振分け装置（３６又は７６）を備えてなる弾球遊技機（１）において、
前記振分け装置（３６又は７６）は、
前記特定入賞口（４２ａ）及び前記一般入賞口（４２ｂ，４２ｃ）への入賞球をそれぞれ検知する第１及び第２検知手段（４９，４８）が固定された形で前記遊技盤（１１）側に固定された基台部（４１，４５，５２、又は７７）と、
前記特定入賞口（４２ａ）及び前記一般入賞口（４２ｂ，４２ｃ）を有した形で前記基台部（４１，４５，５２、又は７７）に対して回転自在に支持された回転部材（４２）と、
前記基台部（４１，４５，５２、又は７７）の内方にて前記回転部材（４２）と一体的に回転する入賞振分け部材（４３又は７４）と、を有し、かつ、
前記基台部（４１，４５，５２、又は７７）の内壁及び前記入賞振分け部材（４３又は７４）により、前記特定入賞口（４２ａ）に入賞した遊技球（Ｂａ）を受け入れる第１収容部（例えばＳｐ１）と前記一般入賞口（４２ｂ，４２ｃ）に入賞した遊技球（Ｂａ）を受け入れる第２収容部（例えばＳｐ２）とを形成すると共に、これら第１及び第２収容部（Ｓｐ１，Ｓｐ２）内の各遊技球を、位置の違いにより選別して前記第１及び第２検知手段（４９，４８）の対応する側に個別に導く選別手段（４５ｏ，４３ａ，４５ｎ，４３ｂ，４３ｃ、又は７８，７４ａ，７９，７４ｂ）を設けてなる、
ことを特徴とする弾球遊技機（１）にある。
【０００９】
請求項２に係る本発明は（例えば図７参照）、前記選別手段は、前記基台部（４１，４５，５２、又は７７）の前記内壁に高さ方向位置を異ならせて形成された第１及び第２導入部（４５ｏ，４５ｎ）と、これら第１及び第２導入部（４５ｏ，４５ｎ）にそれぞれ対応するように前記入賞振分け部材（例えば４３）に段差状に形成された低位置面（４３ａ）及び高位置面（４３ｂ，４３ｃ）と、を有してなる、
請求項１記載の弾球遊技機（１）にある。
【００１０】
請求項３に係る本発明は（例えば図１５参照）、前記選別手段は、前記入賞振分け部材（例えば７４）に径方向位置を異ならせて形成された第１及び第２選別口（７８，７９）と、これら第１及び第２選別口（７８，７９）に遊技球をそれぞれ導くように前記入賞振分け部材（７４）に形成された傾斜面（７４ａ，７４ｂ）と、を有してなる、
請求項１記載の弾球遊技機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、基台部の内壁及び入賞振分け部材により、特定入賞口に入賞した遊技球を受け入れる第１収容部と一般入賞口に入賞した遊技球を受け入れる第２収容部とを形成し、かつこれら第１及び第２収容部内の各遊技球を、位置の違いにより選別して第１及び第２検知手段の対応する側に個別に導く選別手段を設けたので、導入されてくる遊技球を受ける回転部材を回転させることで遊技球の不規則な動きを作りだし、特定入賞口と一般入賞口のどちらに入賞するかの予想をたてにくくし所謂ドツキによる不正入賞行為を防止し得るものでありながら、特定入賞口に入賞した遊技球と一般入賞口に入賞した遊技球とを、シンプルな機構により効率良く選別することができ、入賞してからセンシングするまでの時間を従来に比して短縮することができる。
【００１３】
請求項２に係る本発明によると、選別手段が、基台部の内壁に高さ方向位置を異ならせて形成された第１及び第２導入部と、これら第１及び第２導入部にそれぞれ対応するように入賞振分け部材に段差状に形成された低位置面及び高位置面とを有するので、特定入賞口の入賞球と一般入賞口の入賞球を効率的に選別し得る選別手段を、高さ方向位置を異ならせるだけの比較的簡単な構造によって実現することができる。
【００１４】
請求項３に係る本発明によると、選別手段が、入賞振分け部材に径方向位置を異ならせて形成された第１及び第２選別口と、これら第１及び第２選別口に遊技球をそれぞれ導くように入賞振分け部材に形成された傾斜面とを有するので、特定入賞口の入賞球と一般入賞口の入賞球を効率的に選別し得る選別手段を、径方向位置を異ならせるだけの比較的簡単な構造によって実現することができる。
【発明を実施するための最良の形態】
【００１５】
以下、本発明に係る弾球遊技機の実施形態として、遊技場等に設置されるパチンコ機１の概略を図１を参照して説明する。図１は本発明に係る実施の形態におけるパチンコ機１の外部構造を示す正面図である。なお、後述する実施の形態では、本発明の弾球遊技機を、所謂第２種特別電動役物を使用したパチンコ機に適用した例を挙げて説明するが、これに限らず、所謂第１種特別電動役物や第３種特別電動役物の機能を有する弾球遊技機等にも適用可能であることは勿論である。
【００１６】
すなわち、本パチンコ機（弾球遊技機）１は、図１に示すように、発射ハンドル９の操作による球発射装置７２（図１４参照）の作動で遊技球（所謂パチンコ玉）を遊技盤１１の遊技領域１１ａに向かって打ち出しつつ遊技を行うもので、打ち出された遊技球が、入賞口１３（以下、可変入賞口１３ともいう）、入賞口１４（以下、第１入賞口１４ともいう）、入賞口１５（以下、第２入賞口１５ともいう）、入賞口１６，１７（以下、一般入賞口１６，１７ともいう）、又はアウト口１８に収容される構成をなしている。
【００１７】
図１に示すように、本実施形態におけるパチンコ機１は、開口を有する枠体状の筐体２と、この筐体２に開閉可能に装着された前扉３とを有しており、前扉３の前面には、透明ガラス６を有するガラス枠５が開閉可能に取り付けられている。透明ガラス６の奥側には、遊技盤１１が配設されている。前扉３における遊技盤１１の左右には演出用照明装置２８が配設されており、前扉３における上部左右には夫々スピーカ（図示せず）を有する放音装置８が配設されている。また、ガラス枠５における右側部には、前扉３を筐体２側に施錠又は解放するための施錠装置４が配設されている。なお、上記筐体２及び前扉３等により遊技機本体が構成されている。
【００１８】
本パチンコ機１は、上記遊技機本体に設けられた遊技盤１１の遊技領域１１ａに、遊技球Ｂａが入球可能な入賞口（始動入賞口）１４，１５と、該入賞口１４，１５への入球を契機に開放して内部の特定遊技領域２７への入球を可能にする羽根部材（開閉部材）２４を有するセンター飾り２２とを備える。更に、特定遊技領域２７に、特定入賞口（所謂Ｖゾーン）４２ａ（図２、図３参照）及び一般入賞口（所謂外れゾーン）４２ｂ，４２ｃ（図２、図３参照）を有して一方向（例えば図２の時計回り方向）に回転する回転部材４２を備える振分け装置３６を具備している。
【００１９】
そして、前扉３は下部中央に皿ユニット６を有しており、該皿ユニット６における右上部には、賞球及び貸球を含む遊技球が供給される球供給口２３が設けられ、皿ユニット６における右上部には、球貸ボタン７ａ及び返却ボタン７ｂが設けられている。皿ユニット６の中央部には、該皿ユニット６上の遊技球を皿ユニット６下部の球排出口（図示せず）を通して下方に排出するための第１球抜きボタン２１ａと、皿ユニット６上の遊技球を球供給口２３付近から上記球排出口を通して下方に排出するための第２球抜きボタン２１ｂとが配置されている。
【００２０】
また、前扉３における皿ユニット６の右側下方には、球発射装置７２（図１４参照）を操作して遊技球を遊技盤１１に向けて打ち出すための発射ハンドル９が設けられ、皿ユニット６の左側下方には灰皿２５が配設されている。なお、図１中の符号１２は、発射ハンドル９の操作で発射された遊技球を遊技領域１１ａに導くガイドレールを示し、符号１８はアウト口を示している。また、本パチンコ機１には、遊技中に遊技領域１１ａにて入賞することなく落下してアウト口１８に入り込んだ遊技球をパチンコ機背面側に導くアウト球通路（図示せず）が設けられている。
【００２１】
一方、遊技領域１１ａ内に配設された入賞口１３〜１７は全て、遊技球が入賞した場合に所定数の遊技球を賞球するように機能するが、単に遊技球の賞球のみを行うものと、賞球以外の他の機能を有するものとが存在している。具体的には、遊技領域１１ａの中央左右に設けられた入賞口１６と、遊技領域１１ａの左右下方に設けられた、後述する遊技球誘導ユニット２０に配設された入賞口１７とが、前者に示した賞球のみ行う入賞口となる。また、遊技領域１１ａの中央に設けられたセンター飾り２２の上部中央の左右に配置された入賞口１３と、遊技領域１１ａの中央下部に縦に整列されて配設された入賞口１４，１５とが、後者に示した賞球以外の他の機能を有する入賞口となる。
【００２２】
第１入賞口１４及び第２入賞口１５の左右には、遊技領域１１ａに打ち出されて落下してきた遊技球を、第２入賞口１５の方へ誘導し得る遊技球誘導ユニット２０が配置されている。遊技球誘導ユニット２０は、誘導部材１９が遊技盤１１に取り付けられ、上方に向けて開口した入賞口１７を有している。この入賞口１７は、遊技球の入賞をもって所定数の遊技球を賞球する機能を有している。
【００２３】
誘導部材１９の上部には、遊技領域１１ａの中央部に向かって下降するように傾斜する遊技球誘導路が形成されているので、遊技領域１１ａに打ち出されて落下してくる遊技球が、誘導部材１９（即ち、遊技球誘導ユニット２０）の上面側に落下した際には、上記遊技球誘導路上を遊技領域１１ａの中央部に向かって転動することとなる。
【００２４】
また、遊技球誘導ユニット２０の第２入賞口１５側には、誘導部材１９の背後から不図示のソレノイドによって突出する可動部材２６が配置されている。可動部材２６は、上記ソレノイドの非駆動時には、誘導部材１９の背後に全体が隠れるように退避した状態となっている。また、駆動時には、図１に示した位置までその先端が移動するので、遊技球誘導路上に落下して転動する遊技球の第２入賞口１５への入球を補助し得るものとなる。
【００２５】
一方、前述したセンター飾り（入球役物）２２の中央上部に備えた左右の可変入賞口１３は、通常時において左右の羽根部材（開閉部材）２４によってそれぞれ閉鎖されている。しかし、遊技球が、第１入賞口（始動入賞口）１４もしくは第２入賞口（始動入賞口）１５に入賞した際には、羽根部材２４が開閉ソレノイド７０（図１４参照）によって開閉駆動されることによって、一定時間（例えば約０．５秒／回）だけ開放状態となる。
【００２６】
すなわち、第１入賞口１４及び第２入賞口１５への入賞は、通常の賞球のみならず、センター飾り２２の左右の可変入賞口１３を同時に開放させる条件ともなっている。具体的には、第１入賞口１４に遊技球が入賞した際には、左右の羽根部材２４が同時に駆動されることによって、左右の可変入賞口１３が１回だけ開放状態となる。また、第２入賞口１５に遊技球が入賞した際には、第１入賞口１４に入賞したときと同様な左右の可変入賞口１３の開放が２回実行される。これにより、第１入賞口１４へ入賞したときよりも第２入賞口１５に入賞したときの方が、可変入賞口１３への遊技球の入賞可能性は高まるものとなっている。
【００２７】
ところで、遊技領域１１ａには、センター飾り２２の四方に風車８６が配設されている。また、遊技領域１１ａにおけるセンター飾り２２の周囲には、発射されてからセンター飾り２２に関与せずに落下してくる遊技球を適宜散らし、第１入賞口１４、第２入賞口１５等に対し、入賞に導くようにするための複数の障害釘が打ち込まれている。なお、本実施の形態においては、上記風車８６がセンター飾り２２の四方に配設されるものとして説明するが、これは１つの例であり、配設させる位置や数については遊技領域１１ａ内において特に限定されるものではない。また、障害釘や各種入賞口等にあっても、配設させる位置や数について遊技領域１１ａ内において特に限定されるものではない。
【００２８】
また、センター飾り２２の上部中央に配置された２つの羽根部材２４は、開閉ソレノイド７０（図１４参照）によって反対方向に同時に回動駆動（図１の反時計回り方向、時計回り方向）されることで２つの可変入賞口１３を同時に開閉する。打ち出されてきた遊技球は、可変入賞口１３の開状態の際にセンター飾り２２内の特定遊技領域２７に導入され得るものとなる。
【００２９】
センター飾り２２における特定遊技領域２７の背面側には、種々の演出表示を行う画像表示装置４０が設けられている。該センター飾り２２内の左側部には、２つの可変入賞口１３から特定遊技領域２７へと連通する案内路３３が形成されている。該案内路３３の下端部には、可変入賞口１３から導入した遊技球を特定遊技領域２７の案内路３９に放出する放出口３５が設けられている。なお、案内路３３の内部には、該案内路３３を落下する遊技球に交互に当接して、該遊技球をジグザグに案内することで減速させる不図示の減速部材が設けられている。該案内路３９は、放出口３５から放出された遊技球Ｂａを、振分け装置３６の導入部４１ｄに案内する、なだらかに下降する溝状を呈している。
【００３０】
図１に示すように、特定遊技領域２７の中央部には、モータ５１（図１４参照）の回転を受けて回転する回転部材４２（図２、図３参照）を有する振分け装置３６が、上記案内路３９の下流側に位置するように配置されている。
【００３１】
ここで、上記振分け装置３６の構成について、図２〜図１３を参照して詳細に説明する。まず、図２及び図８〜図１３を参照して各部品単位で説明する。
【００３２】
すなわち、図２に示すように、振分け装置３６は、上部装飾部材４１、回転部材４２、入賞振分け部材４３、ギヤユニット４４、入賞振分け受け部材４５、入賞口センサ４８、入賞口センサ４９、モータ５１、及びベース部材５２を有している。なお、上部装飾部材４１、入賞振分け受け部材４５及びベース部材５２により、遊技盤１１側に固定された、本発明に係る基台部が構成されている。
【００３３】
上部装飾部材４１は、図２及び図８に示すように、案内路３９に連通して該案内路３９からの遊技球Ｂａを受け入れる導入部４１ｄと、該導入部４１ｄからの遊技球を図２の反時計回り方向に転がり移動させつつ内周側に導くように緩く傾斜されたリング状の転動路４１ａと、該転動路４１ａの内周側に形成された円筒状の収容空間部４１ｂと、遊技者側を向く前壁部４１ｇと、後側を覆う後壁部４１ｆと、収容空間部４１ｂに連通する振分け案内部４１ｃと、下方に延びるように形成されたボス部５７とを有している。
【００３４】
回転部材４２は、図２及び図９に示すように、上部装飾部材４１、入賞振分け受け部材４５及びベース部材５２からなる上記基台部に対して回転自在な全体的に略円筒状に構成されている。該回転部材４２は、中心に位置する回転軸部４２ｅと、該回転軸部４２ｅを中心とする同心状にかつ等角度間隔で形成された特定入賞口４２ａ及び一般入賞口４２ｂ，４２ｃと、上部装飾部材４１の導入部４１ｄから導入されて転動路４１ａを一方向に転動しながら次第に転がり移動してくる遊技球を受け入れて内周側の特定入賞口４２ａ及び一般入賞口４２ｂ，４２ｃの何れかに導くように、回転軸部４２ｅに向けて次第に下降するように緩く傾斜された転動面４２ｄと、回転軸部４２ｅから下方に突出して駆動軸５５の先端５５ａに嵌合して連結されるボス部４２ｈと、回転軸部４２ｅから下方に延びて入賞振分け部材４３と連結される連結部材５３とを有している。該連結部材５３は、図示はされないが図の奥側にも存在している。上記転動面４２ｄの下部には、壁部４２ｇ及び壁部４２ｆが形成されている。なお、上記特定入賞口４２ａ及び一般入賞口４２ｂ，４２ｃを介してそれぞれ入賞した遊技球は、振分け装置３６下部の入賞口センサ４９，４８でそれぞれ検知されて排出口５２ｃ，５２ｂ（図２参照）を経由し、各排出路を介してパチンコ機背面側へと導かれる。
【００３５】
入賞振分け部材４３は、図２及び図１０に示すように、回転部材４２の下部側に連結部材５３等を介して一体的に取り付けられて該回転部材４２とで収容空間部４１ｂ内にて回転する所謂クルーンを構成するもので、全体的に略円形状に形成され、かつ中心部分に円孔４３ｄを有している。該入賞振分け部材４３は、特定入賞口４２ａの下方に対向して位置する低位置面４３ａと、一般入賞口４２ｂ，４２ｃの下方に対向してそれぞれ位置する高位置面４３ｂ，４３ｃとを有しており、低位置面４３ａと高位置面４３ｂとの間、高位置面４３ｂと高位置面４３ｃとの間、及び高位置面４３ｃと低位置面４３ａとの間に、それぞれ立設された仕切り壁５４を有している。低位置面４３ａ及び高位置面４３ｂ，４３ｃは、それぞれ入賞振分け部材４３の外周側に向かって下降するように傾斜しており、該入賞振分け部材４３の回転自在な支持状態（図７参照）において、低位置面４３ａは導入切欠き部（第１導入部）４５ｏと同レベル（同じ高さ）にあり、高位置面４３ｂ，４３ｃはそれぞれ導入切欠き部（第２導入部）４５ｎと同レベル（同じ高さ）にある。上記３つの仕切り壁５４は、円孔４３ｄを中心として三方に放射状になるように構成されている。なお、符号４３ｅ，４３ｆ，４３ｇは、入賞振分け部材４３の外周縁部に形成された、回転部材４２の連結部材５３との固定用のネジ穴である。
【００３６】
ギヤユニット４４は、図２及び図１１に示すように、回転部材４２のボス部４２ｈに下方から先端５５ａを嵌合して連結される駆動軸５５と、該駆動軸５５の下端部に固定された平歯車５６と、下方のモータ５１の回転軸５１ａに固定された状態で平歯車５６に噛合する平歯車５８とを有している。図面上では、平歯車５８は平歯車５６に噛み合っていないように描かれるが、実際には、平歯車５８がその中心孔５８ａに回転軸５１ａを嵌合された状態で平歯車５６に噛合する。
【００３７】
入賞振分け受け部材４５は、図２及び図１２に示すように、相互に接合された回転部材４２及び入賞振分け部材４３を回転自在に受け入れる円筒状の収容空間部４５ａと、該収容空間部４５ａの中心部分に立設されて中空部４５ｍを有する円筒状のボス部４５ｂと、収容空間部４５ａの一端側に形成された状態で上部装飾部材４１の振分け案内部４１ｃに連通する連通部４１ｉ（図３参照）に接合される、案内部４５ｃを有する連通部４５ｋとを有している。更に、入賞振分け受け部材４５は、収容空間部４５ａの他端側に形成された案内部４５ｄを有する連通部４５ｌと、案内部４５ｃの下方に形成されて入賞口センサ４８を嵌合支持する嵌合部４５ｇと、案内部４５ｄの下方に形成されて入賞口センサ４９を嵌合支持する嵌合部４５ｐと、入賞振分け受け部材４５の外周縁部の３箇所に形成されたネジ穴４５ｈ，４５ｉ，４５ｊとを有している。
【００３８】
案内部４５ｃは、一般入賞口４２ｂ，４２ｃから導入されて高位置面４３ｂ，４３ｃ上を転動する遊技球を導入して嵌合部４５ｇの入賞口センサ４８に案内する穴部であり、収容空間部４５ａの内壁面の対応する部分には導入切欠き部４５ｎが形成されている。該導入切欠き部４５ｎは、上部に位置する振分け案内部４１ｃが案内部４５ｃに繋がっているため、該導入切欠き部４５ｎを高位置面４３ｂ，４３ｃ側から乗り越えた遊技球を入賞口センサ４８の検知孔４８ａ側に落下させることができる。
【００３９】
案内部４５ｄは、特定入賞口４２ａから導入されて低位置面４３ａ上を転動する遊技球を導入して嵌合部４５ｐの入賞口センサ４９に案内する穴部であり、収容空間部４５ａの内壁面の対応する部分には導入切欠き部４５ｏが形成されている。該導入切欠き部４５ｏ上には、上部装飾部材４１に設けられて該導入切欠き部４５ｏ側に突出して、高位置面４３ｂ，４３ｃからの遊技球の通過を規制して低位置面４３ａからの遊技球のみを通過させるための規制面４１ｈ（図７参照）が形成されている。これにより、導入切欠き部４５ｏを低位置面４３ａ側から乗り越えた遊技球のみが入賞口センサ４９の検知孔４９ａに落下することができる。なお、符号４５ｅは嵌合部４５ｇを備えるセンサ収容部、符号４５ｆは嵌合部４５ｐを備えるセンサ収容部である。
【００４０】
入賞口センサ４８，４９は、遊技球を通過させる検知孔４８ａ，４９ａをそれぞれ有する近接センサ等からなり、図２に示すように、上部装飾部材４１、入賞振分け受け部材４５及びベース部材５２からなる基台部に固定された状態で、特定入賞口４２ａ及び一般入賞口４２ｂ，４２ｃへの入賞球をそれぞれ検知する第１及び第２検知手段を構成している。
【００４１】
モータ５１は、図２に示すように、本体部５１ｂと、入賞振分け受け部材４５の下部において平歯車５８の中心孔５８ａに嵌合した状態で固定される回転軸５１ａと、本体部５１ｂから側方に突出するコネクタ部５１ｃとを有している。
【００４２】
ベース部材５２は、図２及び図１３に示すように、入賞振分け受け部材４５と接合され得る略矩形状に構成されており、センサ収容部４５ｅと接合されて嵌合部４５ｇ内の入賞口センサ４８を載置しかつその検知孔４８ａに連通する排出口５２ｂが形成された平坦部５２ｉと、センサ収容部４５ｆと接合されて嵌合部４５ｐ内の入賞口センサ４９を載置しかつその検知孔４９ａに連通する排出口５２ｃが形成された平坦部５２ｊと、駆動軸５５の下端部５５ｂが挿入されるように底面５２ａに形成された挿入孔５２ｄと、該挿入孔５２ｄに下端部５５ｂを挿入した状態での平歯車５６を露出させる切欠き部５２ｋとを有している。なお、符号５２ｅ，５２ｆ，５２ｇはボス部である。
【００４３】
つづいて、図３〜図７を参照して、組み立てた状態の振分け装置３６について詳細に説明する。なお、図３は振分け装置３６を左上方から見下ろした状態で示す斜視図、図４は振分け装置３６を右上方から見下ろした状態で示す斜視図、図５は振分け装置３６を正面から見た状態で示す正面図、図６は振分け装置３６を右下方から見上げた状態で示す斜視図、図７は振分け装置３６の内部構造を破線等で示した正面図である。
【００４４】
すなわち、図３〜図６に示すように、振分け装置３６は、下部に配置されたベース部材５２上に入賞振分け受け部材４５及び上部装飾部材４１がこの順に載せられた状態で互いに不図示のネジで連結固定されると共に、これらで構成された基台部に、特定入賞口４２ａ及び一般入賞口４２ｂ，４２ｃへの入賞球をそれぞれ検知する入賞口センサ４９，４８が固定されており、該基台部はこの状態にて遊技盤１１側に固定される。該振分け装置３６は、特定入賞口４２ａ及び一般入賞口４２ｂ，４２ｃを有する回転部材４２を、上部装飾部材４１の収容空間部４１ｂに挿入した形で、上記基台部に対して回転自在に支持していると共に、入賞振分け部材４３を、該基台部の内方にて回転部材４２と一体的に回転するように備えている。
【００４５】
そして、図７に示すように、上部装飾部材４１、入賞振分け受け部材４５及びベース部材５２からなる上記基台部の内壁と、入賞振分け部材４３とにより、特定入賞口４２ａに入賞した遊技球Ｂａを受け入れる収容部（第１収容部）Ｓｐ１と、一般入賞口４２ｂ，４２ｃに入賞した遊技球Ｂａを受け入れる収容部（第２収容部）Ｓｐ２とが形成されている。また、該収容部Ｓｐ１，Ｓｐ２内の各遊技球Ｂａを、位置の違いにより選別して入賞口センサ４９，４８の対応する側に個別に導く選別手段を有している。
【００４６】
上記選別手段は、上部装飾部材４１、入賞振分け受け部材４５及びベース部材５２からなる上記基台部の内壁に、高さ方向位置を異ならせて形成された導入切欠き部（第１導入部）４５ｏと導入切欠き部４５ｎ（第２導入部）、及び、これら導入切欠き部４５ｏ，４５ｎにそれぞれ対応するように入賞振分け部材４３に段差状に形成された低位置面４３ａと高位置面４３ｂ，４３ｃから構成されている。
【００４７】
図７に示す上記基台部の下部において、入賞口センサ４８及び４９には、電気的接続ケーブルであるハーネス４８ｂ及び４９ｂがそれぞれ接続されている。これらハーネス４８ｂ，４９ｂは、金属製の遊技球が検知孔４８ａ，４９ａを通過する際の電界の変化等に基づく信号を遊技用マイクロコンピュータ６２に出力するもので、入賞口センサ４９，４８が、遊技盤１１側に固定された基台部に取り付けられているので、回転部材４２の回転に伴って捩れるような不都合が発生することはない。
【００４８】
次に、本実施形態におけるパチンコ機１の制御系を図１４に沿って説明する。図１４は本パチンコ機１の全体の制御系を示すブロック図である。
【００４９】
遊技制御装置６０は、遊技盤１１の裏面に取り付けられた役物制御ユニット（図示略）により実現されている。図１４に示すように、遊技制御装置６０は、パチンコ遊技等に必要な役物制御を行うワンチップマイコンからなる遊技用マイクロコンピュータ６２と、水晶の発振周波数を分周して所定のクロックを得るクロック生成回路（ＣＬＫ）６３と、各種信号の入出力を行う入出力Ｉ／Ｆ（インターフェース）６４とを有している。遊技用マイクロコンピュータ６２は、ＣＰＵ６２ａ、ＲＯＭ６２ｂ、ＲＡＭ６２ｃを内蔵する、所謂アミューズチップ用のＩＣとして製造されている。
【００５０】
遊技制御装置６０の入出力Ｉ／Ｆ６４には、第１入賞口センサ６５、第２入賞口センサ６６、及び入賞口センサＳＴ１，ＳＴ２，４９，４８からの検知信号が入力される。ここで、第１入賞口センサ６５は、第１入賞口１４への入賞を検知するセンサであり、第２入賞口センサ６６は、第２入賞口１５への入賞を検知するセンサである。また、入賞口センサＳＴ１，ＳＴ２はそれぞれ、一般入賞口１６，１７、可変入賞口１３への入賞を検知するセンサである。また、入賞口センサ４９は、特定入賞口４２ａへの大当たりに係る入賞を検知するセンサで、入賞口センサ４８は、一般入賞口４２ｂ，４２ｃへの入賞を検知するセンサである。
【００５１】
遊技用マイクロコンピュータ６２は、入賞判定手段４６を有している。該入賞判定手段４６は、第１入賞口センサ６５、第２入賞口センサ６６、入賞口センサＳＴ１，ＳＴ２，４９，４８からの検知信号に基づき、第１入賞口１４、第２入賞口１５、一般入賞口１６，１７、可変入賞口１３、特定入賞口４２ａ、一般入賞口４２ｂ，４２ｃへの入賞をそれぞれに判定する。
【００５２】
また、入出力Ｉ／Ｆ６４からは、放音装置８を放音駆動して効果音などの出力制御を行う音声出力制御装置６８、演出用照明装置２８等の制御を行う演出制御装置６９、センター飾り２２の羽根部材２４を駆動する開閉ソレノイド７０、球発射装置７２を制御する発射制御装置７１、回転部材４２を回転駆動するモータ５１に信号がそれぞれ出力される。
【００５３】
更に、入出力Ｉ／Ｆ６４からは、排出制御装置６７にも賞球制御情報の信号が出力される。なお、賞球制御情報の内容としては、賞球数情報や排出条件等の情報が出力される。排出制御装置６７は、遊技制御装置６０から入力される賞球制御情報に基づいて、排出ユニット（不図示）を駆動して遊技球を排出する制御を行うものである。すなわち、遊技制御装置６０は、遊技領域１１ａの各入賞口に設けられた第１入賞口センサ６５、第２入賞口センサ６６、入賞口センサ４９，４８によって入賞が検知されると、各入賞口の入賞価値に対応して予め設定された賞球数情報を、排出制御装置６７へ送信する。そして、排出制御装置６７では、この賞球数情報を受信して、それに応じた賞球排出制御を行う。
【００５４】
次に、本パチンコ機１による作用について説明する。すなわち、本パチンコ機１に対面して着座した遊技者が発射ハンドル９を握り、適宜の角度に回動操作した際、発射制御装置７１がその回転角に基づいて球発射装置７２を制御し、それにより、該球発射装置７２の作動で遊技球を所定の時間間隔で遊技領域１１ａに向けて連続的に発射する。すると、遊技領域１１ａに打ち出されて転動落下する多数の遊技球は、入賞口１６，１７等に適時入賞し、或いは、これらに関与せずに転動落下して、遊技領域１１ａ最下部のアウト口１８から遊技盤１１背面側に排出される。
【００５５】
ここで、本パチンコ機１は、通常の遊技中、遊技領域１１ａに打ち出された遊技球が、第１入賞口１４に入賞すると、センター飾り２２に備えた羽根部材２４が、開閉ソレノイド７０によって１回の開閉動作（例えば約０．５秒間）を行う。また、遊技球が第２入賞口１５に入賞した際には、羽根部材２４は、開閉ソレノイド７０によって２回の開閉動作（例えばそれぞれ約０．５秒間ずつ）を行う。このようにして羽根部材２４が開状態となったとき、遊技領域１１ａに打ち出された遊技球の中には、可変入賞口１３からセンター飾り２２内へと導入されるものがある。
【００５６】
可変入賞口１３からセンター飾り２２内の特定遊技領域２７に遊技球が導入されると、遊技制御装置６０は、入賞口センサＳＴ２からの検知信号を契機として、導入された遊技球の数を不図示のカウンタでカウントすると共に、予め設定された賞球数情報（例えば賞球数が５個）を排出制御装置６７へ送信する。該排出制御装置６７は、この賞球数情報を受信して、それに応じた賞球排出制御を行う。
【００５７】
そして、可変入賞口１３からセンター飾り２２内に導入された遊技球は、案内路３３に沿って垂直下方に案内されながらも不図示の減速部材によって減速されるため、放出口３５からはその速度を十分に弱められた状態で案内路３９に放出される。放出口３５から放出された遊技球Ｂａは、案内路３９を比較的ゆるやかな速度で流下する。この際、案内路３９を流下する遊技球Ｂａが導入部４１ｄから転動路４１ａ側に導入されると、該遊技球Ｂａは、転動路４１ａに沿って図３、図４の反時計回り方向に転がり移動し、該転動路４１ａの傾斜に従って、次第に回転部材４２の転動面４２ｄに進入する。
【００５８】
この場合、回転部材４２は、遊技球Ｂａの転動方向とは逆の方向（図３、図４の時計回り方向）に緩やかに回転しているため、転動路４１ａ側から転動面４２ｄに進入する遊技球Ｂａは、転動面４２ｄの逆方向回転の影響を受けながら不規則な挙動を見せつつ減速し、該転動面４２ｄの傾斜に従って内周側に転がり移動し、特定入賞口４２ａ、一般入賞口４２ｂ，４２ｃの何れかに偶然的に導入されて落下することになる。
【００５９】
そして、図７において、落下した入賞口が特定入賞口４２ａの場合、遊技球は符号Ｂａ１で示すように進入して収容部Ｓｐ１の低位置面４３ａ上に落下し、Ｂａ２で示すように、低位置面４３ａの傾斜に沿って外周側に転がり移動して、収容空間部４５ａの内面（上述した基台部の内壁の一部）に摺接しながら、導入切欠き部４５ｏが対向した時点で該導入切欠き部４５ｏ上を通って（Ｂａ３，Ｂａ４）、案内部４５ｄを介して入賞口センサ４９の検知孔４９ａを通過（Ｂａ５）した後、排出される。
【００６０】
一方、図７において、落下した入賞口が一般入賞口４２ｂ，４２ｃの何れかの場合、遊技球は符号Ｂａ６で示すように進入して、収容部Ｓｐ２の高位置面４３ｂ，４３ｃの対応する側に落下し、Ｂａ７で示すように、高位置面４３ｂ又は４３ｃの傾斜に沿って外周側に転がり移動して、収容空間部４５ａの内面に摺接しながら、導入切欠き部４５ｎが対向した時点で該導入切欠き部４５ｎ上を通って（Ｂａ８，Ｂａ９）、案内部４５ｃを介して入賞口センサ４８の検知孔４８ａを通過（Ｂａ１０）した後、排出される。
【００６１】
そして、遊技球Ｂａが、一般入賞口４２ｂ，４２ｃに入球した場合は、遊技制御装置６０は、入賞口センサ４８からの検知信号を契機として、カウンタにてカウントしたセンター飾り２２内に導入された遊技球の数をデクリメントする。また、遊技球Ｂａが、特定入賞口４２ａに入賞した場合は、入賞口センサ４９によって大当たり確定の入賞が検知されると共に、該検知信号を契機として遊技制御装置６０がカウンタにてカウントしたセンター飾り２２内に導入された遊技球の数をデクリメントする。そして、入賞口センサ４９からの上記検知信号を受けた遊技用マイクロコンピュータ６２は、その旨の信号を演出制御装置６９に送信し、演出制御装置６９は、遊技球が特定入賞口４２ａに入賞（Ｖ入賞）した旨を画像表示装置４０や演出用照明装置２８に表示するべく制御する。
【００６２】
そして、センター飾り２２内に導入された遊技球の全てが排出され、遊技制御装置６０のカウンタにてカウントされた遊技球の数が零になった場合、遊技制御装置６０は、通常遊技時の状態へと戻る。
【００６３】
以上説明したように本実施の形態では、上部装飾部材４１、入賞振分け受け部材４５及びベース部材５２からなる基台部の内壁及び入賞振分け部材４３により、特定入賞口４２ａに入賞した遊技球Ｂａを受け入れる収容部Ｓｐ１と一般入賞口４２ｂ，４２ｃに入賞した遊技球Ｂａを受け入れる収容部Ｓｐ２とを形成し、かつこれら収容部Ｓｐ１及び収容部Ｓｐ２内の各遊技球を、位置（高さ）の違いにより選別して入賞口センサ４９，４８の対応する側に個別に導く、導入切欠き部４５ｏ、低位置面４３ａ、導入切欠き部４５ｎ、高位置面４３ｂ，４３ｃからなる選別手段を設けている。これにより、導入されてくる遊技球Ｂａを受ける回転部材４２を回転させることで遊技球Ｂａの不規則な動きを作りだし、特定入賞口４２ａと一般入賞口４２ｂ，４２ｃのどちらに入賞するかの予想をたてにくくし所謂ドツキによる不正入賞行為を防止しながらも、特定入賞口４２ａに入賞した遊技球Ｂａと一般入賞口４２ｂ，４２ｃに入賞した遊技球Ｂａとを、シンプルな機構により効率良く選別できると共に、入賞してから入賞口センサ４９，４８でセンシングするまでの時間を、従来に比して短縮することができる。
【００６４】
また、本実施の形態によると、上部装飾部材４１、入賞振分け受け部材４５及びベース部材５２からなる基台部の内壁に高さ方向位置を異ならせて形成された導入切欠き部４５ｏ，４５ｎと、これら導入切欠き部４５ｏ，４５ｎにそれぞれ対応するように入賞振分け部材４３に段差状に形成された低位置面４３ａ及び高位置面４３ｂ，４３ｃとから選別手段が構成されるので、特定入賞口４２ａの入賞球と一般入賞口４２ｂ，４２ｃの入賞球を効率的に選別し得る選別手段を、高さ方向位置を異ならせるだけの比較的簡単な構造によって実現することができる。
【００６５】
なお、本実施の形態では、高さの低い側である収容部Ｓｐ１を特定入賞口４２ａに対応させ、高さの高い側である収容部Ｓｐ２を一般入賞口４２ｂ，４２ｃに対応させるように構成したが、この対応関係は逆にすることも可能である。つまり、本実施の形態によると、一般入賞口４２ｂ，４２ｃに入賞した遊技球Ｂａを高さの高い収容部Ｓｐ２から素早く放出してセンシングし、特定入賞口４２ａに入賞した遊技球Ｂａを高さの低い収容部Ｓｐ１から比較的ゆっくり放出してセンシングすることが可能になるため、その場合、Ｖ入賞時における画像表示装置４０での演出時間を多くとれるという効果を奏する。しかし、これを逆にし、高さの高い側である収容部Ｓｐ２を特定入賞口４２ａに対応させ、高さの低い側である収容部Ｓｐ１を一般入賞口４２ｂ，４２ｃに対応させることも可能である。このように、特定入賞口４２ａ、一般入賞口４２ｂ，４２ｃに導入されてから実際に入賞口センサ４９，４８でセンシングされるまでの時間の長短を、用途に応じて調整することが可能である。
【００６６】
ついで、前述した実施の形態の振分け装置３６を変形した変形例について図１５を参照して説明するが、本変形例は、図１〜図１４に示した実施の形態に比して、選別手段を、高さ位置方向ではなく径方向位置の違いで選別し得るように構成した点が異なるが、機能的に共通の構成部分もあるため、それらの部分には同一符号を付している。なお、図１５は、本変形例における振分け装置７６を示す図であり、同図（ａ）は正面上方から見下ろした状態で示す斜視図、同図（ｂ）は内部を透視した状態で示す正面図である。
【００６７】
本変形例における振分け装置７６は、特定入賞口４２ａ及び一般入賞口４２ｂ，４２ｃへの入賞球をそれぞれ検知する入賞口センサ４９，４８が固定された形で遊技盤１１側に固定された円筒状の基台部７７と、該基台部７７の上部開口内にて回転自在に収容された回転部材４２と、基台部７７の内方にて回転部材４２と一体的に回転する入賞振分け部材７４とを有している。
【００６８】
そして、振分け装置７６では、上記基台部７７の内壁７７ａ及び入賞振分け部材７４により、特定入賞口４２ａに入賞した遊技球Ｂａを受け入れる収容部Ｓｐ１と、一般入賞口４２ｂ，４２ｃに入賞した遊技球Ｂａを受け入れる収容部Ｓｐ２とが形成される。また、該振分け装置７６は、収容部Ｓｐ１，Ｓｐ２内の各遊技球Ｂａを、位置（径方向）の違いにより選別して入賞口センサ４９，４８の対応する側に個別に導く選別手段を有している。該選別手段は、入賞振分け部材７４に径方向位置を異ならせて形成された第１及び第２選別口７８，７９と、これら第１及び第２選別口７８，７９に遊技球をそれぞれ導くように入賞振分け部材７４に形成された傾斜面７４ａ，７４ｂとにより構成される。
【００６９】
すなわち、本振分け装置７６では、円筒状の基台部７７内方に、不図示の連結部材を介して互いに一体的に一方向回転するように支持された回転部材４２及び入賞振分け部材７４が、周知の回転支持機構（図示せず）を介して回転自在に収容されている。略円板状の入賞振分け部材７４は、その下部外周縁部の全体に亘るように該外周縁部の内側に形成された内歯車７４ｃを有しており、該内歯車７４ｃに、基台部７７内方下部に固定されたモータ８４の回転軸に固定されたピニオン８５が噛合している。従って、該モータ８４が、先の実施の形態におけるモータ５１と同様に回転駆動することにより、ピニオン８５の回転で内歯車７４ｃを介して入賞振分け部材７４が回転部材４２と共に一方向に回転するように構成される。
【００７０】
また、基台部７７の内方下部には、円筒状の基台部７７の中心Ｃに検知孔４９ａを合致させた状態で入賞口センサ４９が固定され、かつ基台部７７の内壁７７ａの近傍に検知孔４８ａを位置させた状態で入賞口センサ４８が固定されている。入賞振分け部材７４はその上面が、図１５（ｂ）の左側から右側に向かって下降するように傾斜して形成されて、傾斜の高い側に傾斜面７４ａを、傾斜の低い側に傾斜面７４ｂをそれぞれ有している。該上面には、Ｌ字状の仕切り壁８１が傾斜面７４ａ側に広がるように固定され、これにより仕切られた収容部Ｓｐ１が形成される。また、これと逆の傾斜面７４ｂ側には、仕切り壁８１で仕切られた収容部Ｓｐ２が形成される。第１選別孔７８は、収容部Ｓｐ１内における最も低くなった部位に形成されて上記検知孔４９ａの真上になるように位置され、また、第２選別孔７９は、収容部Ｓｐ２内における最も低くなった部位に形成されて上記検知孔４８ａの真上になるように位置される。
【００７１】
したがって、回転部材４２上に導入された遊技球が特定入賞口４２ａに入賞した場合、遊技球は符号Ｂａ１５で示すように進入して収容部Ｓｐ１の傾斜面７４ａ上に落下し、Ｂａ１６で示すように該傾斜面７４ａの傾斜に沿って転がり移動して、仕切り壁８１に案内されながら、Ｂａ１７で示すように第１選別孔７８に進入し、入賞口センサ４９の検知孔４９ａを通過（Ｂａ１８）した後、排出される。
【００７２】
一方、回転部材４２上に導入された遊技球が一般入賞口４２ｂ，４２ｃの何れかに入賞した場合、遊技球は符号Ｂａ１１で示すように進入して、収容部Ｓｐ２の傾斜面７４ｂに落下し、Ｂａ１２で示すように該傾斜面７４ｂの傾斜に沿って転がり移動して、内壁７７ａに案内されながら、Ｂａ１３で示すように第２選別孔７９に進入し、入賞口センサ４８の検知孔４８ａを通過（Ｂａ１４）した後、排出される。
【００７３】
以上説明したように本変形例では、前述の実施の形態と同様に、特定入賞口４２ａと一般入賞口４２ｂ，４２ｃのどちらに入賞するかの予想をたてにくくし所謂ドツキによる不正入賞行為を防止しながらも、特定入賞口４２ａに入賞した遊技球Ｂａと一般入賞口４２ｂ，４２ｃに入賞した遊技球Ｂａとを、シンプルな機構により効率良く選別できると共に、入賞してから入賞口センサ４９，４８でセンシングするまでの時間を、従来に比して短縮することができる。
【００７４】
更に、本変形例では、入賞振分け部材７４に径方向位置を異ならせて形成された第１及び第２選別口７８，７９と、これら第１及び第２選別口７８，７９に遊技球をそれぞれ導くように入賞振分け部材７４に形成された傾斜面７４ａ，７４ｂとで選別手段を構成したので、特定入賞口４２ａの入賞球と一般入賞口４２ｂ，４２ｃの入賞球を効率的に選別し得る選別手段を、径方向位置を異ならせるだけの比較的簡単な構造によって実現することができる。
【００７５】
なお、本変形例においても、前述の実施の形態と同様、特定入賞口４２ａ及び一般入賞口４２ｂ，４２ｃと、収容部Ｓｐ１及び収容部Ｓｐ２との対応関係を逆にすることが可能である。
【００７６】
以上、本発明をその好適な実施の形態に基づいて説明したが、本発明の弾球遊技機は、上記実施形態の構成にのみ限定されるものではなく、上記実施形態の構成から種々の修正及び変更を施した弾球遊技機も、本発明の範囲に含まれる。
【図面の簡単な説明】
【００７７】
【図１】本発明に係る実施の形態におけるパチンコ機の外部構造を示す正面図である。
【図２】本実施の形態における振分け装置の構造を示す分解斜視図である。
【図３】本実施の形態における振分け装置を左上方から見下ろした状態で示す斜視図である。
【図４】本実施の形態における振分け装置を右上方から見下ろした状態で示す斜視図である。
【図５】本実施の形態における振分け装置を正面から見た状態で示す正面図である。
【図６】本実施の形態における振分け装置を右下方から見上げた状態で示す斜視図である。
【図７】本実施の形態における振分け装置の内部構造を破線等で示した正面図である。
【図８】本振分け装置の上部装飾部材を拡大して示す斜視図である。
【図９】本振分け装置の回転部材を拡大して示す斜視図である。
【図１０】本振分け装置の入賞振分け部材を拡大して示す斜視図である。
【図１１】本振分け装置のギヤユニットを拡大して示す斜視図である。
【図１２】本振分け装置の入賞振分け受け部材を拡大して示す斜視図である。
【図１３】本振分け装置のベース部材を拡大して示す斜視図である。
【図１４】本パチンコ機の全体の制御系を示すブロック図である。
【図１５】本発明に係る変形例における振分け装置を示す図であり、（ａ）は正面上方から見下ろした状態で示す斜視図、（ｂ）は内部を透視した状態で示す正面図である。
【符号の説明】
【００７８】
１    弾球遊技機（パチンコ機）
１１    遊技盤
１１ａ    遊技領域
３６    振分け装置
４１，４５，５２    基台部（上部装飾部材、入賞振分け受け部材、ベース部材）
４２    回転部材
４２ａ    特定入賞口
４２ｂ，４２ｃ    一般入賞口
４３    入賞振分け部材
４３ａ    選別手段（低位置面）
４３ｂ，４３ｃ    選別手段（高位置面）
４５ｎ    選別手段、第２導入部（導入切欠き部）
４５ｏ    選別手段、第１導入部（導入切欠き部）
４８    第２検知手段（入賞口センサ）
４９    第１検知手段（入賞口センサ）
７４    入賞振分け部材
７４ａ，７４ｂ    選別手段（傾斜面）
７６    振分け装置
７７    基台部
７８    選別手段（第１選別孔）
７９    選別手段（第２選別孔）
Ｂａ    遊技球
Ｓｐ１    収容部（第１収容部）
Ｓｐ２    収容部（第２収容部）
【図１】
2010094140.tif 000003
【図２】
2010094140.tif 000004
【図３】
2010094140.tif 000005
【図４】
2010094140.tif 000006
【図５】
2010094140.tif 000007
【図６】
2010094140.tif 000008
【図７】
2010094140.tif 000009
【図８】
2010094140.tif 000010
【図９】
2010094140.tif 000011
【図１０】
2010094140.tif 000012
【図１１】
2010094140.tif 000013
【図１２】
2010094140.tif 000014
【図１３】
2010094140.tif 000015
【図１４】
2010094140.tif 000016
【図１５】
2010094140.tif 000017